(57)【要約】【課題】ハンディポットにおいて、テーブルなどに置いてその向きを自由に変えることができるようにする。【解決手段】器体１の底部材11に、底部材11より下方に突設している接地部14を有する接地部材13を設ける。接地部材13を器体１及び底部材11の第１の軸線15を回転中心として回動自在に設ける。ハンディポットを持ち上げることなくテーブルなどに接地部材13を載置して置いたままハンドル３を握って器体１を回動して注出口２やハンドル３を所定方向に向けることができる。【選択図】図１
0003148115.tif 000002
【実用新案登録請求の範囲】
【請求項１】
器体の前部の上部に注出口を設けると共に、後部にほぼ上下に向くハンドルを固定し、前記器体の前記上部の給排液口に着脱栓を備えたハンディポットにおいて、前記器体の底部材に、該底部材より下方に突設している接地部を有する接地部材を設けると共に、該接地部材を前記器体又は前記底部材の中心の上下方向の第１の軸線を中心として回動自在に設けたことを特徴とするハンディポット。
【請求項２】
前記接地部材は前記底部材に水平に設けられる平面円形状に形成され、該接地部材の中心の上下方向の第２の軸線を前記第１の軸線と一致させたことを特徴とする請求項１記載のハンディポット。
【請求項３】
前記接地部材は、平面が円形な円板によって形成され、前記底部材に前記接地部材が回動自在に嵌合する上下方向を貫通する貫通孔が形成され、前記貫通孔の第１の周縁に摺動自在に係止する係止部を前記接地部材の第２の周縁に沿って設けたことを特徴とする請求項２記載のハンディポット。
【請求項４】
前記貫通孔は前記第１の軸線を中心とした円形であって、前記係止部は前記第１の周縁の内向き端面に当接する縦向き部と、この縦向き部の上部に外向きに設けられると共に前記第１の周縁の上面部に係止する横向き部とを備えていることを特徴とする請求項３記載のハンディポット。
【請求項５】
前記接地部材の前記第２の周縁側の上面部に、該第２の周縁に沿って上向きの突起を設けると共に、該突起が前記底部材に当接することを特徴とする請求項３又は４記載のハンディポット。
【請求項６】
前記底部材の前記第１の周縁側の下面部に、該第１の周縁に沿って下向きの突起を設けると共に、該突起が前記接地部材に当接することを特徴とする請求項３又は４記載のハンディポット。
【考案の詳細な説明】
【技術分野】
【０００１】
本考案は、器体に固定したハンドルを手で握って器体を持ち上げ、器体を傾けて器体内の貯液を注出するようにしたハンディポットに関するものである。
【背景技術】
【０００２】
従来、この種のものとして器体の前部の上部に注出口が、後部にほぼ上下に向く握り部を固定したハンドルがそれぞれ設けられ、器体の上部の給排液口に着脱できるように装着され、かつ、この装着状態で器体内と前記注出口とを連絡する通水路と、この通水路を開閉する開閉弁とを有した着脱栓と、ハンドルを握った手の親指で操作されて前記開閉弁を開き操作する開き操作機構とを備えたハンディポットが知られている。そしてこのようなハンディポットにおいては、外装ケースの下部開口部に底部材が固定されているものであった（例えば、特許文献１）。
【特許文献１】特開２０００−３３３８４９号公報
【考案の開示】
【考案が解決しようとする課題】
【０００３】
従来技術においては、ハンディポットに収容したお湯をカップ等に注出する際に、テーブルなどに置いてあるハンディポットの向きを変えるときは、まずハンドルを握っていったんハンディポットを持ち上げ、そしてポットを持ち換えたり、或いは置き直して、ハンディポットの向きを換え、再びハンドルを握ってハンディポットを持ち上げ、そして器体を傾けて器体内の貯液を注出する必要がある。この際、ハンディポットをテーブルなどに置いたまま所定方向に向きように回動することも考えられるが、ハンディポットの底部材が固定されているので、底部材も回動することとなり、テーブルなどに傷がついてしまうおそれがある。
【０００４】
解決しようとする問題点は、器体にハンドルが固定されたハンディポットにおいて、テーブルなどに置いてその向きを自由に変えることができるようにする点である。さらに、向きを変えるときに確実に、しかもスムーズに回動できるようにする点である。
【課題を解決するための手段】
【０００５】
請求項１の考案は、器体の前部の上部に注出口を設けると共に、後部にほぼ上下に向くハンドルを固定し、前記器体の前記上部の給排液口に着脱栓を備えたハンディポットにおいて、前記器体の底部材に、該底部材より下方に突設している接地部を有する接地部材を設けると共に、該接地部材を前記器体又は前記底部材の中心の上下方向の第１の軸線を中心として回動自在に設けたことを特徴とするハンディポットである。
【０００６】
請求項２の考案は、前記接地部材は前記底部材に水平に設けられる平面円形状に形成され、該接地部材の中心の上下方向の第２の軸線を前記第１の軸線と一致させたことを特徴とする請求項１記載のハンディポットである。
【０００７】
請求項３の考案は、前記接地部材は、平面が円形な円板によって形成され、前記底部材に前記接地部材が回動自在に嵌合する上下方向を貫通する貫通孔が形成され、前記貫通孔の第１の周縁に摺動自在に係止する係止部を前記接地部材の第２の周縁に沿って設けたことを特徴とする請求項２記載のハンディポットである。
【０００８】
請求項４の考案は、前記貫通孔は前記第１の軸線を中心とした円形であって、前記係止部は前記第１の周縁の内向き端面に当接する縦向き部と、この縦向き部の上部に外向きに設けられると共に前記第１の周縁の上面部に係止する横向き部とを備えていることを特徴とする請求項３記載のハンディポットである。
【０００９】
請求項５の考案は、前記接地部材の前記第２の周縁側の上面部に、該第２の周縁に沿って上向きの突起を設けると共に、該突起が前記底部材に当接することを特徴とする請求項３又は４記載のハンディポットである。
【００１０】
請求項６の考案は、前記底部材の前記第１の周縁側の下面部に、該第１の周縁に沿って下向きの突起を設けると共に、該突起が前記接地部材に当接することを特徴とする請求項３又は４記載のハンディポットである。
【考案の効果】
【００１１】
請求項１の考案によれば、ハンディポットを持ち上げることなくテーブルなどに置いたままハンドルを握って器体を回動して所定方向に向けることができる。
【００１２】
請求項２の考案によれば、接地部材に対して底部材、ひいては器体がぶれるようなことなく回動することができる。
【００１３】
請求項３の考案によれば、係止部により回動方向が案内されることで、器体の回動をスムーズに行うことができる。
【００１４】
請求項４の考案によれば、縦向き部により第１の軸線に第２の軸線が回動時に一致するように案内し、横向き部によって接地部材が底部材より抜け出るおそれをなくすことができる。
【００１５】
請求項５又は６の考案によれば、回動時の摩擦抵抗を小さくして、小さい力でもテーブルなどにおいてあるハンディポットを回動することができる
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜５は実施例１を示しており、本実施例のハンディポットは、器体１の前部の上部に注出口２が設けられ、後部にほぼ上下に向く握り部３Ａを有したハンドル３が設けられている。このまた、器体１の上部の給排液口４に着脱できるように装着された着脱栓５を備える。着脱栓５は、器体１への装着状態で器体１内と注出口２とを連絡する二点鎖線で示した通水路６と、この通水路６を常時は閉じるように下部に設けられた開閉弁７とを有し、この開閉弁７は着脱栓５の上面に設けた操作ボタン８を指で押圧するごとに、着脱栓５の下部にある開閉弁７を開成、閉成を繰り返すことができるようになっている。そして、開閉弁７が一点鎖線で示した開成時においては、器体１を傾けることにより貯液（図示せず）を注出することができる。
【００１８】
前記器体１は、内容器９を収納したものであり、この内容器９内が着脱栓５の通水路６を介して注出口２に矢印に示すように通じるようにされ、開閉弁７の開き操作によって内容器９内の貯液（図示せず）を注出することができる。
【００１９】
内容器９を備えた器体１は、金属製真空二重容器である。そして、器体１の上端に合成樹脂製の肩部材10を取り付け、肩部材10によって注出口２および給排液口４を形成している。さらに、ハンドル３は肩部材10に上端部で連続するように一体成形され、下端部側は器体１と間隔をおいて下方に延長している。
【００２０】
さらに、器体１の下端に合成樹脂製の底部材11を固定すると共に、この底部材11にテーブル12などに直接接触してハンディポットを支持するための合成樹脂製の接地部材13が設けられる。この接地部材13には底部材11の下面よりやや下方に突設しテーブル12などに直接載置する接地部14を一体に設ける。底部材11は器体１の中心である上下方向を向いた第１の軸線15を中心とした平面が円形であって、内容器９の底部16に対向する円板部17の外周に立ち上り部18が一体に設けられ、この立ち上り部18が器体１の下端に嵌着している。また、円板部17の中央には第１の軸線15を中心とした上下方向の貫通孔19が形成されており、この貫通孔19は下部より上部がやや径小となる上下二段形状になっている。さらに、貫通孔19の第１の周縁20の上面には水平面21が該第１の周縁20に沿って形成されている。接地部材13は貫通孔19に回動可能に嵌合する円板状であって、第１の軸線15と接地部材13の中心を示す上下方向の第２の軸線（第１の軸線15と同じ符号15で示す）は一致しており、このために貫通孔19の軸線15と接地部材13の軸線15とは第１の軸線15と一致している。そして、接地部14は接地部材13の第２の周縁22に沿って該接地部材13の軸線15を中心として複数放射方向に設けられている。
【００２１】
さらに、接地部材13の第２の周縁22に沿った上面に、第２の周縁22に沿って上向きの突起23を断続或いは連続的に設けると共に、突起23は同じ高さであって実施例では第２の周縁22に沿って間隔をおいて等間隔に３箇所以上設けられている。尚、実施例では接地部14は第２の周縁22に沿って間隔をおいて等間隔に12カ所に設けられている。そして、突起23が底部材11に当接することで、底部材11が突起23により支持されると共に、第１の軸線15を回転中心として接地部材13は底部材11に対して遊転可能に設けられている。
【００２２】
また、接地部材13の第２の周縁22より内側に位置する上面に、貫通孔19に係止する係止部24を上向きに突設すると共に、係止部24は第２の周縁22に沿って設けられている。この係止部24は第１の周縁20の内向き端面に当接する縦向き部25と、この縦向き部25の上部に横に外向きに設けられると共に第１の周縁20の上面部に係止する横向き部26とを備え、係止部24全体としては逆Ｌ字形状であって、さらに横向き部26の上面部27は外側が内側より低く傾斜することで、係止部24を貫通孔19に無理嵌めして挿入できるようになっている。尚、図４に示すように接地部材13の上面から横向き部26までの距離Ｌは、突起23の高さと第１の周縁20の厚みの合計とほぼ等しく形成されている。尚、図中28は第１の周縁20と立ち上り部18間を連結する補強リブである。
【００２３】
次に前記構成についてその作用を説明する。着脱栓５を外して給排液口４より内容器９に湯等を収容し、そして着脱栓５を給排液口４に装着して貯液を保温する。
【００２４】
貯液を注出口２から注出には、予め操作ボタン８を指で押圧するごとに開閉弁７を開成しておき、そして器体１に固定したハンドル３の握り部３Ａを手で握って器体１を持ち上げ、器体１を傾けると、貯液は開閉弁７、通水路６、給排液口４を通って注出される。
【００２５】
この際、テーブル12などに置いてあるハンディポットの向きを変えるときは、テーブル12などに置いたままハンドル３を握ってハンディポットの向きを換えると、接地部材13は動かないで底部材11、ひいては器体１が第１の軸線15を回転中心として回動することで、注出口２を所定方向に向けることができる。このとき、突起23が底部材11を局部的に当接することで、突起23と底部材11との接触面積を可及的に小さくして、両者間の摩擦抵抗を低減して、器体１を小さい力で回動することできる。また、係止部24の縦向き部25が第１の周縁20の内向き端面に摺動することで、底板部材が第１の軸線15を回動中心として案内される。さらに、係止部24の横向き部26が第１の周縁20の上面に摺動可能に係止していることにより、底部材11に対して接地部材13が一体的に設けられており、底部材11より接地部材13が抜け出るようなことはない。
【００２６】
以上のように、前記実施例では請求項１に対応して、器体１の前部の上部に注出口２を設けると共に、後部にほぼ上下に向く握り部３Ａを有するハンドル３を固定し、器体１の上部の給排液口４に着脱栓５を備えたハンディポットにおいて、器体１の底部材11に、底部材11より下方に突設している接地部14を有する接地部材13を設けると共に、該接地部材13を器体１及び底部材11の第１の軸線15を回転中心として回動自在に設けたことによって、ハンディポットを持ち上げることなくテーブル12などに接地部材13を載置して置いたままハンドル３を握って器体１を回動して注出口２やハンドル３を所定方向に向けることができる。
【００２７】
前記実施例では請求項２に対応して、接地部材13は底部材11の下方に水平に設けられる平面円形状に形成され、接地部材13の中心の第２の軸線15を第１の軸線15と一致させたことによって、接地部材13に対して底部材11、ひいては器体１がぶれるようなことなく回動することができる。
【００２８】
前記実施例では請求項３に対応して、接地部材13は、平面が円形な円板によって形成され、底部材11に接地部材13が回動自在に嵌合する上下方向を貫通する貫通孔19が形成され、貫通孔19の第１の周縁20に摺動自在に係止する係止部24を接地部材13の第２の周縁22に沿って設けたことによって、接地部材13に対する底部材11の回動にあって、係止部24により回動方向が案内されることで、底部材11、ひいては器体１の回動をスムーズに行うことができる。
【００２９】
前記実施例では請求項４に対応して、貫通孔19は第１の軸線15を中心とした円形であって、係止部24は第１の周縁20の内向き端面に当接する縦向き部25と、この縦向き部25の上部に外向きに設けられると共に第１の周縁20の上面部に係止する横向き部26とを備えることで、縦向き部25により第１の軸線15に第２の軸線15が回動時に一致するように案内すると共に、横向き部26によって接地部材13が底部材11より抜け出るおそれをなくすことができる。
【００３０】
前記実施例では請求項５に対応して、前記接地部材13の第２の周縁22側の上面部に、該第２の周縁22に沿って上向きの突起23を設けると共に、該突起23が底部材11に当接することにより、接地部材13による底部材11、ひいては器体１の支持を突起23によって行うことができると共に、突起23と底部材11との接触面積を小さくして、それに伴う摩擦抵抗を小さくして、小さい力でもテーブル12などにおいてあるハンディポットを回動することができる。
【実施例２】
【００３１】
図６は実施例２を示しており、前記実施例１と同一部分については同一符号を付し、その詳細な説明を省略する。実施例２においては、実施例１の突起23とは逆に、底部材11の第１の周縁20側の下面部に、第１の周縁20に沿って下向きの突起23Ａを設けると共に、突起23Ａが接地部材13に当接するようにしたものである。
【００３２】
したがって、前記実施例では請求項６に対応して、接地部材13による底部材11の支持を突起23Ａによって行うことができると共に、突起23Ａと底部材11との接触面積を小さくして、それに伴う摩擦抵抗を小さくして、小さい力でもテーブル12などにおいてあるハンディポットを回動することができる。
【００３３】
したがって、
【産業上の利用可能性】
【００３４】
以上のように本考案にかかるハンディポットは、各種の用途に適用できる。そして、実施例では接地部材は円板状であるが、円環状とした円形でもよい。
【図面の簡単な説明】
【００３５】
【図１】本考案の第１実施例を示す分解斜視図である。
【図２】同斜視図である。
【図３】同底部材、接地部材の全体の断面図である。
【図４】同底部材、接地部材の一部の断面図である。
【図５】同底面図である。
【図６】本考案の第２実施例を示す断面図である。
【符号の説明】
【００３６】
１  器体
２  注出口
３  ハンドル
４  給排液口
11  底部材
13  接地部材
14  接地部
15  第１の軸線(第２の軸線)
19  貫通孔
20  第１の周縁
22  第２の周縁
23  23Ａ  突起
24  係止部
25  縦向き部
26  横向き部
【図１】
0003148115.tif 000003
【図２】
0003148115.tif 000004
【図３】
0003148115.tif 000005
【図４】
0003148115.tif 000006
【図５】
0003148115.tif 000007
【図６】
0003148115.tif 000008